(57)【要約】【課題】部品点数が少なく組立が容易で、ディスクの保持を確実に行えるチャッキング装置の提供。【解決手段】ターンテーブル１８の中心部に固定されるハブ３と、該ハブ内に収容される弾性板４とを備える。ハブ３はその外周部を部分的に開口せしめた窓部３３と、弾性板４の部位を支持する支持部３５とを有する。弾性板４は凹面形と凸面形とに弾性変形する板バネ部４１を有し、これに連続して支持部３５により支持される突片４２、及び窓部３３の位置に配される可動爪４３とが形成される。又、可動爪４３は、トリガー部４３ａとディスク押圧部４３ｂを有する。トリガー部４３ａは、板バネ部４１を凹面形から凸面形に転換させるべくハブ３の外径内領域Ｓより外方に突出され、ディスク押圧部４３ｂは、板バネ部４１が凸面形に転換されたとき、ハブ３の外径内領域Ｓより外方に突出してディスクＤの内周縁をターンテーブル１８側に押圧する。【選択図】図８
2008112502.tif 000002
【特許請求の範囲】
【請求項１】
ターンテーブルに載置され、中心に孔が設けられたディスクを着脱自在に保持するディスクチャッキング装置において、
前記ターンテーブルの中心部に設けられる弾性板を備え、
前記弾性板には、前記ターンテーブルに近接する凹面形と前記ターンテーブルから離隔する凸面形とに弾性変形する板バネ部と、該板バネ部に連続する可動爪とが形成され、
前記可動爪は、
前記ターンテーブルに近接する方向にあって、前記板バネ部を前記凹面形から前記凸面形に転換させるべく前記ディスクの中心孔より外方に突出されるトリガー部と、
前記ターンテーブルから離隔する方向にあって、前記トリガー部が前記ディスクにより押圧されて前記板バネ部が前記凸面形に転換されたとき、前記ディスクの中心孔より外方に突出してディスクの内周縁を前記ターンテーブル側に押圧するディスク押圧部と、
を有することを特徴とするディスクチャッキング装置。
【請求項２】
前記ターンテーブルの中心部には、前記弾性板を収容するハブが固定され、
前記ハブは、その外周部を部分的に開口せしめて周方向に所定の間隔で形成される窓部と、前記弾性板の部位を支持する支持部とを有し、
前記板バネ部には、前記支持部により支持される突片が形成され、
前記可動爪は、前記窓部に配置されることを特徴とする請求項１記載のディスクチャッキング装置。
【発明の詳細な説明】
【技術分野】
【０００１】
本発明は、ＣＤ、ＣＤ−ＲＯＭ、又はＤＶＤといったディスク状記録媒体（ディスク）をターンテーブル上に保持するディスクチャッキング装置に関する。
【背景技術】
【０００２】
近年、ノート型パソコンをはじめ、ＤＶＤレコーダなどのデジタルオーディオビジュアル機器において薄型化のニーズが高まっていることに関連し、それら機器に搭載されるディスク駆動装置も薄型にして記録再生の高速化が求められている。
【０００３】
高速回転されるディスクを確実に保持するためには高い保持力が欠かせず、その実現のためディスクを載置するターンテーブルの中心部分からその半径方向に移動する爪を放射状に設け、それらの爪でディスクの中心部を押えるようにした方式が主流となっている。
【０００４】
その一例を図１０に示して説明すれば、Ｔはターンテーブルであり、その中心部には図示せぬディスクの中心孔内に嵌合するハブＨが設けられる。ハブＨには、その外周部を切り欠いて成る窓部Ｗが周方向に等間隔に形成され、その窓部Ｗの位置に爪部材Ｐ１が配置されると共に、その爪部材Ｐ１がコイルバネＣｓによりハブＨの半径方向に付勢されている。そして、係るディスクチャッキング装置によれば、ターンテーブルＴにディスクを載置してその中心孔をハブＨに嵌合させると、爪部材Ｐ１がディスクに押されてハブＨ内に没入した後、これがコイルバネＣｓに押されて窓部ＷからハブＨの半径方向に移動して、ディスクの内周縁をターンテーブルＴ側に押し付けることができる。
【０００５】
しかし、上記のようなチャッキング装置では、ディスクを保持するとき、爪部材Ｐ１がディスクの内周縁を乗り越えてその外周側に摺動するので、爪部材Ｐ１やディスクの表面粗さ等によっては爪部材Ｐ１がディスクの内周縁に引っ掛かり、ディスクが保持されず回転時にハブＨから外れてしまう可能性があった。
【０００６】
又、複数の爪部材Ｐ１に対応し、これと同数のコイルバネＣｓを必要とすることから、部品点数が多くコスト高となり、しかも組立に手間が掛かるという問題があった。
【０００７】
そこで、図１１に示すような環状基部Ｒｂの外周に、片持ち梁状に伸長する弾性アームＥａを繋げると共に、その弾性アームＥａの先端にディスクの内周縁に対して係止する係止爪Ｐ２を設け、その係止爪Ｐ２が図示せぬハブの窓部（開口）より出没するようにしたチャッキング装置が提案されている（例えば、特許文献１）。
【０００８】
【特許文献１】特開２００６−１２０３００号公報
【発明の開示】
【発明が解決しようとする課題】
【０００９】
しかしながら、特許文献１も図１０に示したチャッキング装置と同じく、ディスクを保持するとき係止爪Ｐ２がディスクの内周縁を乗り越えてその外周側に摺動するので、係止爪Ｐ２やディスクの表面粗さ等によっては係止爪Ｐ２がディスクの内周縁に引っ掛かり、ディスクが保持されず回転時にハブから外れてしまう可能性がある。
【００１０】
又、係止爪Ｐ２が弾性アームＥａの弾性によりディスクの内周側から外周側に付勢される構成であるから、ディスクをターンテーブルに堅固に押し付けるための押圧力を得難いという問題もある。
【００１１】
本発明は以上のような事情に鑑みて成されたものであり、その目的は部品点数が少なく組立の容易なチャッキング装置にして、ディスクの保持を確実に行えるようにすることにある。
【課題を解決するための手段】
【００１２】
本発明は上記の目的を達成するため、ターンテーブル１８に載置され、中心に孔が設けられたディスクを着脱自在に保持するディスクチャッキング装置において、
ターンテーブル１８の中心部に設けられる弾性板４を備え、
弾性板４には、ターンテーブル１８に近接する凹面形とターンテーブル１８から離隔する凸面形とに弾性変形する板バネ部４１と、該板バネ部４１に連続する可動爪４３とが形成され、
可動爪４３は、
ターンテーブル１８に近接する方向にあって、板バネ部４１を前記凹面形から前記凸面形に転換させるべくディスクＤの中心孔より外方に突出されるトリガー部４３ａと、
ターンテーブル１８から離隔する方向にあって、トリガー部４３ａがディスクＤにより押圧されて板バネ部４１が前記凸面形に転換されたとき、ディスクＤの中心孔より外方に突出してディスクＤの内周縁をターンテーブル１８側に押圧するディスク押圧部４３ｂと、
を有することを特徴とする。
【００１３】
加えて、ターンテーブル１８の中心部には、弾性板４を収容するハブ３が固定され、
ハブ３は、その外周部を部分的に開口せしめて周方向に所定の間隔で形成される窓部３３と、弾性板４の部位を支持する支持部（係止溝３５）とを有し、
板バネ部４１には、支持部（係止溝３５）により支持される突片４２が形成され、
可動爪４３は、窓部３３に配置されることを特徴とする。
【発明の効果】
【００１４】
本発明に係るディスクチャッキング装置は、弾性板、好ましくは弾性板とこれを収容するハブとの２部材で構成されることから部品点数が少なく、組立を容易に行うことができる。
【００１５】
又、弾性板は、ターンテーブルに近接する凹面形とターンテーブルから離隔する凸面形とに弾性変形する板バネ部を有し、これが凸面形に弾性変形することによりディスク押圧部がディスクの内周縁をターンテーブル側に押圧する構成とされることから、ディスクを高い保持力で堅固に保持することができる。
【００１６】
又、ディスク押圧部は板バネ部の弾性変形に連動してディスクの厚さ方向に揺動するので、当該ディスク押圧部をディスクに対して摺動させることなくディスクを着脱することができる。このため、ディスクに傷が付き難く、ディスク装着時にはその内周縁を確実に保持することができる。
【発明を実施するための最良の形態】
【００１７】
以下、図面に基づいて本発明を詳しく説明する。図１において、１はディスク駆動用モータ、２は本発明に係るディスクチャッキング装置であり、係るディスクチャッキング装置２は、上記ディスク駆動用モータ１に一体的に組み付けられてディスク駆動装置を構成する。
【００１８】
先ず、図１によりディスク駆動用モータ１の構成例を簡単に説明すれば、１１はステータを構成するモータベースであり、その中心部には軸受保持具１２が固定され、その軸受保持具１２内に円筒状の軸受１３が嵌着されている。又、軸受保持具１２の外周にはステータコア１４が固着され、そのステータコア１４に電機子巻線が巻回されてステータコイル１５が構成されている。
【００１９】
一方、軸受１３内にはロータ軸１６が回転自在に支持されており、その一端にボス部１７が設けられ、そのボス部１７にロータを構成する断面凹字形のターンテーブル１８が固着されている。
【００２０】
ターンテーブル１８は、ＣＤやＤＶＤといったディスク状記録媒体（ディスク）を載置してディスクと共に回転するもので、その外周内壁面にはステータコア１４の突極に近接して界磁用マグネット１９が装着される。
【００２１】
そして、ステータコイル１５に駆動電流を流すことにより発生する回転磁界に対し、界磁用マグネット１９の磁束が作用することにより、ターンテーブル１８の回転が行われるようになっている。
【００２２】
次に、ディスクチャッキング装置２について説明すると、係るディスクチャッキング装置２は、ターンテーブル１８に載置されるディスクの心出し及び保持を行うためのものであり、これはターンテーブル１８と同心状に配置される。
【００２３】
以下、係るディスクチャッキング装置２の構成を詳しく説明すると、図２はチャッキング装置の平面図であり、図３には図２のＸ−Ｘ拡大断面を示す。
【００２４】
図２および図３から明らかなように、チャッキング装置２は、ハブ３内に弾性板４を収容して構成される。このうち、ハブ３は中心部に取付孔３１ａを有する円板状の天板部３１とその周囲に連なる環状の周壁部３２とを有する断面凹字形の形態で、その外径は保持すべきディスクの中心孔の孔径と同等であり、このため当該ハブ３をディスクの中心孔内に嵌合してディスクの心出しが可能とされる。
【００２５】
特に、係るハブ３には、その天板部３１から周壁部３２に亘って窓部３３が周方向に所定の間隔で形成される。窓部３３は、ハブ３の外周部を部分的に切り欠いて開口せしめたものであり、本例ではその窓部３３が１２０度間隔で３つ形成されている。尚、窓部３３は複数が所定の間隔で形成されていればよく、例えば、２つを１８０度間隔に、４つを９０度間隔に、５つを７２度間隔に、又は６つを６０度間隔に形成してもよい。
【００２６】
又、図３および図４から明らかなように、窓部３３は周壁部３２側が開放されず、当該周壁部３２側の端部がハブ３と一体として残される円弧状のリブ３４により閉鎖されている。これによれば、ハブ３内に収容される弾性板４の弾力により、周壁部３２の径が拡大するような変形を防止することができる。
【００２７】
又、図４から明らかなように、周壁部３２の内周側にはリブ３４よりも天板部３１側で係止溝３５（後述する突片を支持するための支持部）が形成される。
【００２８】
図５は、係る係止溝３５の位置におけるハブ３の横断面を示す。この図で明らかなように、周壁部３２の内周側には窓部３３を挟んで左右一対の肉厚な側壁３６が形成される。そして、その側壁３６に上記の係止溝３５が形成されている。
【００２９】
一方、弾性板４は、バネ鋼などのバネ性を有する板材を屈曲してなるもので、これは図６のように板バネ部４１と、これに連続して形成される突片４２および可動爪４３とを備える。板バネ部４１は、中心に円形孔を有する環状部４１ａと該環状部から放射状に広がる３つの腕部４１ｂとにより構成され、その各腕部４１ｂの先端に可動爪４３が一体に形成されている。
【００３０】
可動爪４３は、腕部４１ｂの先端をＬ形に屈曲せしめてなる小片状のトリガー部４３ａと、腕部４１ｂの先端をトリガー部４３ａとは反対側に折り曲げた小片状のディスク押圧部４３ｂとから成り、当該可動爪４３の全体は図３のように側面視コ字形の形態とされ、トリガー部４３ａとディスク押圧部４３ｂとの間にはディスクの厚さ以上の間隙が形成される。
【００３１】
又、突片４２は、腕部４１ｂと同一平面内にあって該腕部４１ｂの両側縁より突出される左右一対の小片で、その両突片４２が上記の係止溝３５にて支持されるようになっている。
【００３２】
図７は、突片４２が係止溝３５（支持部）により支持された状態を示す。この図で明らかなように、可動爪４３はハブ３の窓部３３の位置に配置され、この状態で突片４２が係止溝３５内に嵌まり込んで支持されると共に、係止溝３５に嵌まり込んだ突片４２によりハブ３の半径方向に対する可動爪４３の移動が制限されるようになっている。そして、係る可動爪４３は、係止溝３５に嵌め込まれた突片４２を支点に上下方向（上述のターンテーブル１８の面直角方向であってディスクの着脱方向に同じ）に揺動し、これに連動して上記の板バネ部４１が突片４２を支点にして上下方向に湾曲するようになっている（図３はディスク保持前において板バネ部４１が下方に湾曲した凹面形の弾性変形状態を示している）。
【００３３】
特に、可動爪４３を構成するトリガー部４３ａは、ハブ３の外径内領域（周壁部３２より内側の円形領域であり、ディスクの中心孔領域に同じ）より外方に突出してディスクを待ち受け（図３参照）、このときディスク押圧部４３ｂはハブ３の外径内領域に位置してディスクとハブ３の嵌合を阻害せぬようになっている。
【００３４】
ここで、以上のように構成されるディスクチャッキング装置の作用を説明すれば、図８はディスクの保持前（ディスク未装着）の状態、図９はディスクの保持後（ディスク装着時）の状態を示している。
【００３５】
これらの図で明らかなように、ハブ３はターンテーブル１８と同心となるようその中心部（ボス部１７）に固定される。そして、図８のようにディスクの未装着時において、弾性板４の板バネ部４１は、ターンテーブル１８に近接する方向に湾曲して上記の如く凹面形に弾性変形した状態とされる一方、可動爪４３は、そのトリガー部４３ａが突片４２よりもターンテーブル１８に近接する方向にあってハブ３の外径内領域Ｓ（ディスクの中心孔）より外方に突出されると共に、ディスク押圧部４３ｂが突片４２よりもターンテーブル１８から離隔する方向にあってハブ３の外径内領域Ｓに位置される。
【００３６】
上記のような状態にあって、ディスクＤをターンテーブル１８に載置すべくディスクＤの中心孔をハブ３の外周に嵌めると、ディスクＤの内周縁（中心孔の縁）によりトリガー部４３ａが押圧され、その反力により板バネ部４１が凹面形から図９のような凸面形（ターンテーブル１８から離隔する方向に湾曲する弾性変形態様）に転換する。
【００３７】
しかして、可動爪４３が全体としてターンテーブル１８側に下方揺動し、ハブ３の外径内領域Ｓにあったディスク押圧部４３ｂが同領域Ｓより外方に突出してディスクＤの内周縁をターンテーブル１８側に押圧する。このため、ディスクＤはディスク押圧部４３ｂによる内周数箇所（本例において３箇所）の押圧によりターンテーブル１８上に堅固に保持される。
【００３８】
一方、ディスクＤを取り外すときは、弾性板４の弾力に抗してディスクＤをターンテーブル１８から離隔する方向に引き上げればよいが、窓部３３に指先を入れるなどして凸面形の板バネ部４１をターンテーブル１８側に押圧するようにしてもよく、その何れにおいても弾性板４を図９の状態から図８の状態に復帰させながら、その過程においてトリガー部４３ａでディスクＤの内周縁を突き上げてディスクＤを取り外すことができる。
【００３９】
尚、図８および図９において、１８ａはディスクのスリップを防止すべくターンテーブル１８上に固定した環状の摩擦材である。又、１８ｂは可動爪４３の揺動を阻害せぬよう本願ディスクチャッキング装置２の装着部分においてターンテーブル１８の内周側を一段掘り下げた環状凹部である。
【００４０】
以上、本発明に係る最適な形態を説明したが、本装置はパソコン内などに組み込まれるＤＶＤレコーダやＣＤプレーヤといった様々なディスク駆動装置に用いることができる。又、上記例において、ディスク駆動用モータ１がアウターロータ形とされると共に、ターンテーブル１８が同モータ１のロータ部分を構成するものとしたが、ディスク駆動用モータ１をインナーロータ形のスピンドルモータなどとして、そのロータ軸にターンテーブルを固着するようにしてもよく、その種のターンテーブルに対しても本願チャッキング装置２を装備することができる。
【図面の簡単な説明】
【００４１】
【図１】本発明に係るディスクチャッキング装置を備えたディスク駆動装置の分解図
【図２】本発明に係るディスクチャッキング装置の平面図
【図３】図２のＸ−Ｘ拡大断面図
【図４】ハブに形成される窓部を示す斜視図
【図５】ハブの横断面図
【図６】弾性板の平面図
【図７】本発明に係るディスクチャッキング装置の部分拡大断面図
【図８】本発明に係るディスクチャッキングの動作説明図（ディスク未装着時）
【図９】本発明に係るディスクチャッキングの動作説明図（ディスク装着時）
【図１０】従来装置を示す部分拡大断面図
【図１１】他の従来装置を示す構成図
【符号の説明】
【００４２】
１  ディスク駆動用モータ
２  ディスクチャッキング装置
３  ハブ
４  弾性板
１８  ターンテーブル
３３  窓部
３５  係止溝（支持部）
４１  板バネ部
４２  突片
４３  可動爪
４３ａ  トリガー部
４３ｂ  ディスク押圧部
【図１】
2008112502.tif 000003
【図２】
2008112502.tif 000004
【図３】
2008112502.tif 000005
【図４】
2008112502.tif 000006
【図５】
2008112502.tif 000007
【図６】
2008112502.tif 000008
【図７】
2008112502.tif 000009
【図８】
2008112502.tif 000010
【図９】
2008112502.tif 000011
【図１０】
2008112502.tif 000012
【図１１】
2008112502.tif 000013